(57)【特許請求の範囲】
【請求項１】
光を放射する光源と、
前記光源の放射光が入射される基端面と、その基端面の反対側の端面である先端面とを有し、前記基端面から前記先端面へ向けて光を導光する長尺物の導光体と、
遮光性を有すると共に、前記導光体の形状に対応した開口部を有し、その開口部の内部に前記導光体が収容された取付部材と
を備えた照明装置であって、
前記導光体の長手方向において、前記先端面の側に向かうに連れて、前記導光体と前記開口部との距離が徐々に大きくなるように、前記導光体が湾曲した形状である照明装置。
【請求項２】
前記導光体の長手方向において、前記基端面の側に向かうに連れて、前記導光体と前記開口部との距離が徐々に大きくなるように、前記導光体が湾曲した形状である、
請求項１に記載の照明装置。
【請求項３】
前記導光体は、前記開口部に向かって凸状に湾曲した形状であり、その湾曲部分の光軸が前記導光体の長手方向の外側に向かって傾斜している、
請求項１または請求項２に記載の照明装置。
【請求項４】
前記導光体の長手方向の中央部分は、前記導光体と前記開口部との距離が一定である、
請求項１〜３のいずれか一項に記載の照明装置。
【請求項５】
前記導光体の両端部を覆って遮光する遮光部材を備えた、
請求項１〜４のいずれか一項に記載の照明装置。
【請求項６】
前記開口部を覆うレンズを備えた、
請求項１〜５のいずれか一項に記載の照明装置。
【発明の詳細な説明】
【技術分野】
【０００１】
本発明は照明装置に係り、詳しくは、長尺物の導光体を備えた照明装置に関するものである。
【背景技術】
【０００２】
特許文献１には、インストルメントパネルに導光性を有する長尺物の照明部材を配置した車室内の照明装置であって、インストルメントパネルの上側部分を構成するアッパ部に溝部が形成され、溝部は下方に開口され、溝部の内部に照明部材が収容され、溝部の開口部分にカバー体が取付固定され、照明部材の放射光は溝部の開口部分からカバー体を透過して外部へ照射される技術が開示されている。
【０００３】
特許文献２には、長尺な導光体と、導光体の長手方向の端面に光を入射させる光源とを備えた自動車用照明装置であって、導光体はハウジングに収容され、ハウジングはモールに取り付けられ、導光体の放射光はハウジングとモールとから構成される開口部分から外部へ照射される技術が開示されている。
【先行技術文献】
【特許文献】
【０００４】
【特許文献１】特許第４７３７２４１号公報
【特許文献２】特許第５２２５７４４号公報
【発明の概要】
【発明が解決しようとする課題】
【０００５】
特許文献１の技術では、前記照明部材の長手方向において、前記照明部材と前記溝部の開口部分との距離（前記照明部材と前記カバー体との距離）が一定になるように構成されている。
従って、前記照明部材の放射光の照射範囲（照射領域）の形状は、前記溝部の開口部分の形状（長尺矩形状）に相似したものになり、その照射範囲内の照度が均一であるため、照射範囲の内と外とでは照度差（明暗差）が大きくなる。
そのため、特に、前記照明部材と照射対象物とが極近い場合には、その照射対象物に照射範囲の境界が明瞭に映り込んでしまい、間接照明による柔らかな質感の照明効果が損なわれるという問題がある。
【０００６】
特許文献２の技術では、前記導光体の長手方向において、前記導光体と前記開口部分との距離が一定になるように構成されている。
従って、前記導光体の放射光の照射範囲の形状は、前記開口部分の形状（長尺矩形状）に相似したものになり、その照射範囲内の照度が均一であるため、照射範囲の内と外とでは照度差が大きくなる。
そのため、特に、前記導光体と照射対象物とが極近い場合には、その照射対象物に照射範囲の境界が明瞭に映り込んでしまい、間接照明による柔らかな質感の照明効果が損なわれるという問題がある。
【０００７】
近年、照射範囲が長尺線状の間接照明では、照射範囲の長手方向の端部に向かうに連れて、照度を徐々に低下させると共に、照射範囲の短手方向の幅を徐々に狭くすることにより、間接照明による照明効果を高めることが要求されている。
【０００８】
本発明は前記問題を解決するためになされたものであって、その目的は、間接照明による照明効果を高めることが可能な照明装置を提供することにある。
【課題を解決するための手段】
【０００９】
本発明者らは前記課題を解決するために鋭意検討を重ねた結果、下記のように本発明の各局面に想到した。
【００１０】
＜第１の局面＞
第１の局面は、
光を放射する光源と、
光源の放射光が入射される基端面と、その基端面の反対側の端面である先端面とを有し、基端面から先端面へ向けて光を導光する長尺物の導光体と、
遮光性を有すると共に、導光体の形状に対応した開口部を有し、その開口部の内部に導光体が収容された取付部材と
を備えた照明装置であって、
導光体の長手方向において、先端面の側に向かうに連れて、導光体と開口部との距離が徐々に大きくなるように、導光体が湾曲した形状である。
【００１１】
第１の局面では、導光体の先端面の側に向かうに連れて、導光体と開口部との距離が徐々に大きくなる（導光体が開口部から遠ざかる）。
一般に、照度は導光体と照射対象物との距離の二乗に反比例するため、導光体から開口部を介して放射される光についても、先端面の側に向かうに連れて徐々に照度が低下することから、その放射光の照射範囲には明るさのグラデーションが生じ、照射範囲の内と外との照度差（明暗差）を小さくできる。
加えて、導光体の先端面の側に向かうに連れて、導光体から開口部を介して導光体の短手方向（長手方向と直交する方向）に放射される光は、取付部材により遮光されて、その照射範囲の幅が徐々に狭く先細り状になるため、その照射範囲の形状は、導光体の長手方向を長軸とする半楕円状になる。
【００１２】
従って、第１の局面では、照射範囲が長尺線状の間接照明にて、照射範囲の長手方向の先端部（導光体の先端面の側に対応した端部）に向かうに連れて、照度を徐々に低下させると共に、照射範囲の短手方向の幅を徐々に狭くすることが可能になり、間接照明の効果を高めることができる。
第１の局面によれば、特に、導光体と照射対象物とが極近い場合でも、その照射対象物に照射範囲の境界が明瞭に映り込むことが無くなり、間接照明による柔らかな質感の照明効果が損なわれるのを防止できる。
【００１３】
＜第２の局面＞
第２の局面は、第１の局面にて、導光体の長手方向において、基端面の側に向かうに連れて、導光体と開口部との距離が徐々に大きくなるように、導光体が湾曲した形状である。
第２の局面では、導光体の基端面の側に向かうに連れて、導光体と開口部との距離が徐々に大きくなる（導光体が開口部から遠ざかる）。
【００１４】
一般に、照度は導光体と照射対象物との距離の二乗に反比例するため、導光体から開口部を介して放射される光についても、基端面の側に向かうに連れて徐々に照度が低下することから、その放射光の照射範囲には明るさのグラデーションが生じ、照射範囲の内と外との照度差を小さくできる。
加えて、導光体の基端面の側に向かうに連れて、導光体から開口部を介して導光体の短手方向に放射される光は、取付部材により遮光されて、その照射範囲の幅が徐々に狭く先細り状になるため、その照射範囲の形状は、導光体の長手方向を長軸とする半楕円状になる。
【００１５】
従って、第２の局面では、第１の局面の前記作用・効果と相俟って、照射範囲が長尺線状の間接照明にて、照射範囲の長手方向の両端部（導光体の先端面と基端面の両方に対応した端部）に向かうに連れて、照度を徐々に低下させると共に、照射範囲の短手方向の幅を徐々に狭くすることが可能になり、間接照明の効果を高めることができる。
【００１６】
＜第３の局面＞
第３の局面は、第１の局面または第２の局面において、導光体は、開口部に向かって凸状に湾曲した形状であり、その湾曲部分の光軸が導光体の長手方向の外側に向かって傾斜している。
第３の局面では、第１の局面または第２の局面の前記作用・効果を更に確実に得られる。
【００１７】
＜第４の局面＞
第４の局面は、第１〜第３の局面において、導光体の長手方向の中央部分は、導光体と開口部との距離が一定である。
第４の局面では、導光体の長手方向の中央部分から開口部を介して放射される光の照度が高くなるため、その中央部分に対向する照射対象物を明るく照明できる。
【００１８】
＜第５の局面＞
第５の局面は、第１〜第４の局面において、導光体の両端部を覆って遮光する遮光部材を備える。
第５の局面では、導光体の両端部の放射光は制御が困難であるため、その放射光を遮光部材により遮光することで、第１〜第４の局面の前記作用・効果が阻害されるのを防止できる。
【００１９】
＜第６の局面＞
第６の局面は、第１〜第５の局面において、開口部を覆うレンズを備える。
第６の局面では、導光体から開口部を介して放射される光をレンズによって制御可能になるため、第１〜第５の局面の前記作用・効果を更に確実に得られる。
また、レンズによって導光体を保護することができる。
【図面の簡単な説明】
【００２０】
【図１】図１（Ａ）は、本発明を具体化した第１実施形態の照明装置１０の概略構成を示す縦断面図。図１（Ｂ）は、照明装置１０の照明範囲を示す平面図。
【図２】図２（Ａ）は、照明装置１０，５０の概略構成を示す縦断面図であり、図１（Ａ），図５（Ａ）におけるＸ１−Ｘ１矢示断面図。図２（Ｂ）は、照明装置１０，５０の概略構成を示す縦断面図であり、図１（Ａ），図５（Ａ）におけるＸ２−Ｘ２矢示断面図。
【図３】図３（Ａ）は、従来の照明装置１００の概略構成を示す縦断面図。図３（Ｂ）は、照明装置１００の照明範囲を示す平面図。
【図４】照明装置１００の概略構成を示す縦断面図であり、図３（Ａ）におけるＸ３−Ｘ３矢示断面図。
【図５】図５（Ａ）は、本発明を具体化した第２実施形態の照明装置５０の概略構成を示す縦断面図。図５（Ｂ）は、照明装置５０の照明範囲を示す平面図。
【発明を実施するための形態】
【００２１】
以下、本発明を具体化した各実施形態について図面を参照しながら説明する。尚、各実施形態において、同一の構成部材および構成要素については符号を等しくすると共に、同一内容の箇所については重複説明を省略する。
また、各図面では、説明を分かり易くするために、各実施形態の構成部材の寸法形状および配置箇所を誇張して模式的に図示してあり、各構成部材の寸法形状および配置箇所が実物とは必ずしも一致しないことがある。
【００２２】
＜第１実施形態＞
図１および図２に示すように、第１実施形態の照明装置１０は、ケース１１（開口部１１ａ）、導光体１２（先端部１２ａ、中央部１２ｂ、基端部１２ｃ、先端面１２ｄ、基端面１２ｅ、放射区間１２ｆ〜１２ｈ、溝１２ｉ）、レンズ１３（開口部１３ａ、表面１３ｂ）、発光部材１４（ＬＥＤ１４ａ、配線基板１４ｂ）などを備え、自動車のドアトリム２０（取付孔２０ａ、表面２０ｂ）に取付固定されている。
【００２３】
ケース１１は、下方に向けて開口部１１ａが形成された略直方体箱状の長尺物であり、遮光性を有する合成樹脂材料の射出成形により一体形成されている。
導光体１２は、断面矩形の角棒状長尺物であり、先端部１２ａ、中央部１２ｂ、基端部１２ｃ、先端面１２ｄ、基端面１２ｅを備え、透明な合成樹脂材料（例えば、アクリル樹脂、ポリカーボネート樹脂など）の射出成形により一体形成されており、ケース１１の内部に取付固定されている。
導光体１２において、先端部１２ａの端面が先端面１２ｄであり、基端部１２ｃの端面が基端面１２ｅである。
【００２４】
導光体１２の中央部１２ｂは、放射区間１２ｆ〜１２ｈを備え、放射区間１２ｆは先端部１２ａ側に配置されて先端部１２ａに接続され、放射区間１２ｈは基端部１２ｃ側に配置されて基端部１２ｃに接続され、放射区間１２ｇは放射区間１２ｆ，１２ｈの間に配置されている。
放射区間１２ｇは略直線形状であり、放射区間１２ｆ，１２ｈは放射区間１２ｇに対して同一方向（ケース１１の開口部１１ａとは反対方向）に緩やかに湾曲した形状である。
【００２５】
導光体１２において、ケース１１の開口部１１ａに対向する表面が光放射面となり、その光放射面と対向する反対面が反射面となる。
導光体１２の反射面には、断面三角形状の溝１２ｉが導光体１２の長手方向に沿って穿設されている。
導光体１２の溝１２ｉの断面形状は、導光体１２の中央部１２ｂの放射区間１２ｇにおいては同一寸法形状である。
また、導光体１２の溝１２ｉの断面形状は、導光体１２の中央部１２ｂの放射区間１２ｆ，１２ｈにおいては、先端部１２ａまたは基端部１２ｃに向かうに連れて、その幅および深さが徐々に小さくなるように形成されている。
【００２６】
レンズ（アウタレンズ）１３は、上方に向けて開口部１３ａが形成された略直方体箱状の長尺物であり、透明または半透明な合成樹脂材料（例えば、アクリル樹脂、ポリカーボネート樹脂など）の射出成形により一体形成されており、レンズの表面１３ｂが下方を向くように、ケース１１の開口部１１ａに嵌合固定されている。
【００２７】
発光部材１４は、ＬＥＤ（Light Emitting Diode）１４ａと、ＬＥＤ１４ａが実装された配線基板１４ｂとを備え、ケース１１の内部に取付固定されており、車載バッテリ（図示略）から車両のワイヤーハーネス（図示略）を介して直流電源が供給されている。
ＬＥＤ１４ａは、導光体１２の基端面１２ｅに対し、僅かの間隙を空けて対向配置されている。
そのため、ＬＥＤ１４ａの放射光は、導光体１２の基端面１２ｅに入射された後に、導光体１２の内部を先端面１２ｄ側（軸方向先端側）へ向けて導光されながら、導光体１２の溝１２ｉの表面で反射され、導光体１２の各部１２ａ〜１２ｃの表面（光放射面）から外部へ向けて、導光体１２の軸方向に対して略垂直方向に放射される。
【００２８】
ドアトリム２０は、貫通形成された長尺矩形状の取付孔２０ａを備え、遮光性を有する合成樹脂材料の射出成形により一体形成されている。
ドアトリム２０にはその裏側から照明装置１０が取付固定され、ドアトリム２０の取付孔２０ａには照明装置１０のレンズ１３が隙間無く嵌合されており、取付孔２０ａからレンズ１３の表面１３ｂが露出し、ドアトリム２０の表面２０ｂとレンズ１３の表面１３ｂとは面一になっている。
尚、レンズ１３の表面１３ｂの平面形状は、導光体１２の形状に対応しているため、ドアトリム２０の取付孔２０ａの平面形状も、導光体１２の形状に対応している。
【００２９】
照明装置１０では、導光体１２の中央部１２ｂの放射区間１２ｇの長手方向において、導光体１２とレンズ１３の表面１３ｂとの間には僅かの空隙が設けられ、導光体１２とドアトリム２０の取付孔２０ａとの距離（導光体１２とレンズ１３の表面１３ｂとの距離）が一定になるように構成されている。
また、導光体１２の先端部１２ａおよび基端部１２ｃは、ドアトリム２０により覆われている。
【００３０】
そして、導光体１２の中央部１２ｂの放射区間１２ｆの長手方向において、導光体１２の先端面１２ｄ側に向かうに連れて、導光体１２とドアトリム２０の取付孔２０ａとの距離が徐々に大きくなるように（導光体１２がドアトリム２０の取付孔２０ａから遠ざかるように）、放射区間１２ｆにおける湾曲形状が構成されると共に、導光体１２とレンズ１３およびドアトリム２０の取付孔２０ａとの配置が構成されている。
【００３１】
また、導光体１２の中央部１２ｂの放射区間１２ｈの長手方向において、導光体１２の基端面１２ｅ側に向かうに連れて、導光体１２とドアトリム２０の取付孔２０ａとの距離が徐々に大きくなるように、放射区間１２ｈにおける湾曲形状が構成されると共に、導光体１２とレンズ１３およびドアトリム２０の取付孔２０ａとの配置が構成されている。
【００３２】
［第１実施形態の作用・効果］
第１実施形態の照明装置１０によれば、以下の作用・効果を得ることができる。
【００３３】
［１−１］図３および図４に示すように、従来の照明装置１００では、導光体１２の長手方向において、導光体１２とドアトリム２０の取付孔２０ａとの距離が一定になるように構成されている。
その結果、導光体１２からドアトリム２０の取付孔２０ａを介して導光体１２の短手方向（長手方向と直交する方向）に放射される光は、その照射範囲（照射領域）の幅Ｌ３が一定になるため、その照射範囲の形状は、取付孔２０ａの形状に相似した長尺矩形状になり（図３（Ｂ）を参照）、その照射範囲内の照度が均一になることから、照射範囲の内と外とでは照度差（明暗差）が大きくなる。
そのため、特に、導光体１２と照射対象物とが極近い場合には、その照射対象物に照射範囲の境界が明瞭に映り込んでしまい、導光体１２の長手方向に連続的に照射される照射範囲が境界によって突然途切れるように見えることから、間接照明による柔らかな質感の照明効果が損なわれるという問題がある。
【００３４】
［１−２］第１実施形態の照明装置１０では、導光体１２の長手方向において、導光体１２の先端面１２ｄ側に向かうに連れて、導光体１２とドアトリム２０（取付部材）の取付孔２０ａ（開口部）との距離が徐々に大きくなる（導光体１２がドアトリム２０の取付孔２０ａから遠ざかる）。
一般に、照度は導光体１２と照射対象物との距離の二乗に反比例するため、導光体１２からドアトリム２０の取付孔２０ａを介して放射される光についても、先端面１２ｄ側に向かうに連れて徐々に照度が低下することから、その放射光の照射範囲には明るさのグラデーションＧａが生じ（図１（Ｂ）を参照）、照射範囲の内と外との照度差を小さくできる。
【００３５】
加えて、導光体１２の先端面１２ｄ側に向かうに連れて、導光体１２からドアトリム２０の取付孔２０ａを介して導光体１２の短手方向に放射される光は、ケース１１およびドアトリム２０により遮光されて、その照射範囲の幅Ｌ１，Ｌ２が徐々に狭く先細り状になるため、その照射範囲の形状は、導光体１２の長手方向を長軸Ｍとする半楕円状になる（図１（Ｂ）、図２を参照）。
【００３６】
従って、照明装置１０では、照射範囲が長尺線状の間接照明にて、照射範囲の長手方向の先端部Ｐａ（導光体１２の先端面１２ｄ側に対応した端部）に向かうに連れて、照度を徐々に低下させると共に、照射範囲の短手方向の幅を徐々に狭くすることが可能になり（図１（Ｂ）、図２を参照）、間接照明の効果を高めることができる。
そのため、特に、導光体１２と照射対象物とが極近い場合でも、その照射対象物に照射範囲の境界が明瞭に映り込むことが無くなり、間接照明による柔らかな質感の照明効果が損なわれるのを防止できる。
【００３７】
［１−３］照明装置１０では、導光体１２の長手方向において、導光体１２の基端面１２ｅ側に向かうに連れて、導光体１２とドアトリム２０の取付孔２０ａとの距離が徐々に大きくなる。
一般に、照度は導光体１２と照射対象物との距離の二乗に反比例するため、導光体１２からドアトリム２０の取付孔２０ａを介して放射される光についても、基端面１２ｅ側に向かうに連れて徐々に照度が低下することから、その放射光の照射範囲には明るさのグラデーションＧｂが生じ（図１（Ｂ）参照）、照射範囲の内と外との照度差を小さくできる。
【００３８】
加えて、導光体１２の基端面１２ｅ側に向かうに連れて、導光体１２からドアトリム２０の取付孔２０ａを介して導光体１２の短手方向に放射される光は、、ケース１１およびドアトリム２０により遮光されて、その照射範囲の幅Ｌ１，Ｌ２が徐々に狭く先細り状になるため、その照射範囲の形状は、導光体１２の長手方向を長軸Ｍとする半楕円状になる（図１（Ｂ）、図２を参照）。
【００３９】
従って、照明装置１０では、照射範囲が長尺線状の間接照明にて、照射範囲の長手方向の基端部Ｐｂ（導光体１２の基端面１２ｅ側に対応した端部）に向かうに連れて、照度を徐々に低下させると共に、照射範囲の短手方向の幅を徐々に狭くすることが可能になり（図１（Ｂ）、図２を参照）、間接照明の効果を高めることができる。
【００４０】
［１−４］導光体１２は、ドアトリム２０（取付部材）の取付孔２０ａ（開口部）に向かって凸状に湾曲した形状であり、その湾曲部分の光軸ＲＡ（導光体１２の光放射面と直交する線）が導光体１２の長手方向の外側に向かって傾斜しているため（図１（Ａ）を参照）、前記［１−２］［１−３］の作用・効果を更に確実に得られる。
換言すれば、導光体１２がドアトリム２０の取付孔２０ａに向かって凹状に湾曲した形状の場合や、導光体１２が階段状に折れ曲がった形状の場合には、前記［１−２］［１−３］の作用・効果を十分に得ることが困難になる。
【００４１】
［１−５］導光体１２の中央部１２ｂの放射区間１２ｇ（導光体の長手方向の中央部分）は、導光体１２とドアトリム２０の取付孔２０ａとの距離が一定である。
そのため、導光体１２の中央部１２ｂの放射区間１２ｇからドアトリム２０の取付孔２０ａを介して放射される光の照度が高くなるため、放射区間１２ｇに対向する照射対象物を明るく照明できる。
【００４２】
［１−６］導光体１２の先端部１２ａおよび基端部１２ｃは、遮光性を有するドアトリム２０（遮光部材）により覆われている。
導光体１２の両端部（先端部１２ａおよび基端部１２ｃ）の放射光は制御が困難であるため、その放射光をドアトリム２０により遮光することで、前記［１−２］〜［１−５］の作用・効果が阻害されるのを防止できる。
【００４３】
［１−７］ドアトリム２０の取付孔２０ａにはレンズ１３が隙間無く嵌合されており、取付孔２０ａはレンズ１３によって覆われている。
そのため、導光体１２からドアトリム２０の取付孔２０ａを介して放射される光をレンズ１３によって制御可能になるため、前記［１−２］〜［１−６］の作用・効果を更に確実に得られる。
また、レンズ１３によって導光体１２を保護することができる。
【００４４】
［１−８］導光体１２の溝１２ｉの断面形状は、導光体１２の中央部１２ｂの放射区間１２ｆ，１２ｈにおいては、先端部１２ａまたは基端部１２ｃに向かうに連れて、その幅および深さが徐々に小さくなるように形成されている。
そのため、導光体１２の先端部１２ａまたは基端部１２ｃに向かうに連れて、溝１２ｉで反射される光量を徐々に少なくすることが可能になり、前記［１−２］〜［１−４］の作用・効果を更に高めることができる。
【００４５】
＜第２実施形態＞
図２および図５に示すように、第２実施形態の照明装置５０は、ケース１１（開口部１１ａ）、導光体１２（先端部１２ａ、中央部１２ｂ、基端部１２ｃ、先端面１２ｄ、基端面１２ｅ、放射区間１２ｆ〜１２ｈ、１２ｉ）、レンズ１３（開口部１３ａ、表面１３ｂ）、発光部材１４（ＬＥＤ１４ａ、配線基板１４ｂ）、遮光部材５１などを備え、自動車のドアトリム２０（取付孔２０ａ、表面２０ｂ）に取付固定されている。
【００４６】
第２実施形態の照明装置５０において、第１実施形態の照明装置１０と異なるのは以下の点である。
［ア］導光体１２の中央部１２ｂにおいて、放射区間１２ｇに加えて放射区間１２ｈも略直線形状であり、放射区間１２ｆだけが放射区間１２ｇ，１２ｈに対して一方向（ケース１１の開口部１１ａとは反対方向）に緩やかに湾曲した形状である。
【００４７】
［イ］導光体１２の中央部１２ｂの放射区間１２ｇ，１２ｈの長手方向において、導光体１２とレンズ１３の表面１３ｂとの間には僅かの空隙が設けられ、導光体１２とレンズ１３の表面１３ｂとの距離が一定になるように構成されている。
【００４８】
［ウ］遮光部材５１は、導光体１２の基端部１２ｃを覆うように、ケース１１およびレンズ１３に取付固定されている。
【００４９】
従って、第２実施形態の照明装置５０によれば、第１実施形態の前記［１−２］［１−４］［１−７］［１−８］と同様の作用・効果に加えて、以下の作用・効果を得ることができる。
【００５０】
［２−１］導光体１２の中央部１２ｂの放射区間１２ｇ，１２ｈは、導光体１２とドアトリム２０の取付孔２０ａとの距離が一定である。
そのため、導光体１２の中央部１２ｂの放射区間１２ｇ，１２ｈからドアトリム２０の取付孔２０ａを介して放射される光の照度が高くなるため、放射区間１２ｇ，１２ｈに対向する照射対象物を明るく照明できる。
【００５１】
［２−２］導光体１２の先端部１２ａは、遮光性を有するドアトリム２０により覆われている。また、導光体１２の基端部１２ｃは、遮光部材５１により覆われている。
導光体１２の両端部（先端部１２ａおよび基端部１２ｃ）の放射光は制御が困難であるため、その放射光をドアトリム２０および遮光部材５１により遮光することで、前記［１−２］［２−１］の作用・効果が阻害されるのを防止できる。
尚、遮光部材５１は、ドアトリム２０に取り付けられたガーニッシュなどの装飾部材と共用化してもよい。
【００５２】
＜別の実施形態＞
本発明は前記各実施形態に限定されるものではなく、以下のように具体化してもよく、その場合でも、前記各実施形態と同等もしくはそれ以上の作用・効果を得ることができる。
【００５３】
［Ａ］ケース１１を省き、導光体１２をドアトリム２０の内部に直接取付固定してもよい。
［Ｂ］レンズ１３を省き、ドアトリム２０の取付孔２０ａおよびケース１１の開口部１１ａから導光体１２を露出させてもよい。
【００５４】
［Ｃ］導光体１２の先端部１２ａを、第２実施形態の遮光部材５１と同様に、ドアトリム２０とは別体に設けた遮光部材やケース１１によって覆うようにしてもよい。
【００５５】
［Ｄ］前記各実施形態では、導光体１２の中央部１２ｂの放射区間１２ｇが直線形状であるが、放射区間１２ｇを湾曲形状にしてもよく、その場合には、放射区間１２ｇの湾曲形状に合わせて、レンズ１３およびドアトリム２０の取付孔２０ａを湾曲形状にすればよい。
【００５６】
［Ｅ］ＬＥＤ１４ａは、どのような光源（例えば、ＥＬ（Electro Luminescence）素子などの半導体発光素子、電球など）に置き換えてもよい。
【００５７】
［Ｆ］前記各実施形態では、断面矩形の角棒状長尺物の導光体１２を用いたが、導光体１２の断面形状はどのような形状（例えば、断面円形、断面三角形、断面五角形以上の多角形など）にしてもよい。
【００５８】
［Ｇ］前記各実施形態では、長手方向に沿って溝１２ｉが穿設された導光体１２を用いたが、溝１２ｉを省き、その代わりに光散乱性の高い材料（例えば、シリカ、酸化チタンなど）の微粒子を導光体１２に含有させ、その微粒子により光を散乱させて導光体１２の光放射面から外部へ光を放射させるようにしてもよい。
【００５９】
［Ｈ］前記各実施形態の照明装置１０，５０はドアトリム２０に設置されるものであるが、本発明の照明装置は、自動車の車室内のどのような場所（例えば、センターコンソール、インストルメントパネル、ルーフ側トリム、トランクルームのトリム、ピラートリム、ラゲージサイドトリムなど）に設置してもよく、ドアパネル等の車体パネルに直接設置してもよく、具体的な細部構造等については設置場所に応じて適宜変更してもよい。
【００６０】
［Ｉ］前記各実施形態の照明装置１０，５０は車両の室内照明に適用したものであるが、本発明は車両用に限らず、どのような物品（例えば、電気製品、家具など）の照明に適用してもよく、その場合には、取付部材としてのドアトリム２０を当該物品の外装部材に置き換えればよい。
【００６１】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した公報などの内容は、その全ての内容を援用によって引用することとする。
【符号の説明】
【００６２】
１０，５０…照明装置
１１…ケース
１２…導光体
１２ｄ…導光体１２の先端面
１２ｅ…導光体１２の基端面
１２ｇ…導光体１２の中央部１２ｂの放射区間（導光体の長手方向の中央部分）
１２ｉ…導光体１２の溝
１３…レンズ
１４…発光部材
１４ａ…ＬＥＤ（光源）
２０…ドアトリム（取付部材、遮光部材）
２０ａ…ドアトリム２０の取付孔（取付部材の開口部）
５１…遮光部材
【図１】
0005907143.tif 000002
【図２】
0005907143.tif 000003
【図３】
0005907143.tif 000004
【図４】
0005907143.tif 000005
【図５】
0005907143.tif 000006